(57)【要約】【課題】組み立ておよび設置が容易であり、インテリアとしてアクセントを与えることができる照明付内装窓を提供すること。【解決手段】内装壁に設置される照明付内装窓であり、窓台２と窓台の上に載置される三方枠３とから形成される窓枠１の内面部に周溝６が形成され、透光性を有する面板７が、周端縁部を周溝に係合させて窓枠に取り付けられ、窓台における周溝部分の裏側に凹部９が設けられ、凹部内に、発光部１０を備えた照明ユニット１１が係合して納められ、照明ユニットの発光部が面板の下端面に対向して配置されている。【選択図】図１
2007315073.tif 000002
【特許請求の範囲】
【請求項１】
内装壁に設置される照明付内装窓であって、窓台と窓台の上に載置される三方枠とから形成される窓枠の内面部に周溝が形成され、透光性を有する面板が、周端縁部を周溝に係合させて窓枠に取り付けられ、窓台における周溝部分の裏側に凹部が設けられ、凹部内に、発光部を備えた照明ユニットが係合して納められ、照明ユニットの発光部が面板の下端面に対向して配置されていることを特徴とする照明付内装窓。
【請求項２】
窓台に設けられた凹部の左右両端部に補助桟が係合して取り付けられ、照明ユニットを下方より支持する請求項１記載の照明付内装窓。
【発明の詳細な説明】
【技術分野】
【０００１】
本願発明は、住宅の内装壁に設置される照明付内装窓に関する。
【背景技術】
【０００２】
住宅の外廻りの照明を容易にかつ良好に行うことができるような照明構造を本出願人は提案している（特許文献１）。この照明構造では、塀パネルや門扉パネルのような外廻りパネルにおいてガラスや合成樹脂のような導光面材が周枠にて囲繞され、周枠のうち下枠の少なくとも上部に透光部が形成され、下枠に灯具が組み込まれている。外廻りパネルの下枠の透光部をへて導光面材に光を導き、導光面材にて照明を行うことができる。
【特許文献１】特開平４−３１５６７５号公報
【発明の開示】
【発明が解決しようとする課題】
【０００３】
住宅内部は内装壁によって各室に区切られる一方、吹き抜けなど開放感を与える工夫もなされている。さらに進んで、内装壁の両側に位置する各室に開放感、空間としての連続感を与えるために、内装壁に窓を設けることが考えられ、この場合、上記特許文献１に記載された照明構造を採用し、単に窓として機能するのではなく、照明機能をも付加させることが考えられる。
【０００４】
だが、そのような窓、すなわち、照明付内装窓をどのように構成して実現するかは、組み立て性や内装壁との取り合いなどを含め、具体的かつ詳細に検討する必要がある。
【０００５】
本願発明は、このような事情に鑑みてなされたものであり、組み立ておよび設置が容易であり、インテリアとしてアクセントを与えることができる照明付内装窓を提供することを課題としている。
【課題を解決するための手段】
【０００６】
本願発明は、上記の課題を解決するために、第１に、内装壁に設置される照明付内装窓であって、窓台と窓台の上に載置される三方枠とから形成される窓枠の内面部に周溝が形成され、透光性を有する面板が、周端縁部を周溝に係合させて窓枠に取り付けられ、窓台における周溝部分の裏側に凹部が設けられ、凹部内に、発光部を備えた照明ユニットが係合して納められ、照明ユニットの発光部が面板の下端面に対向して配置されていることを特徴としている。
【０００７】
本願発明は、第２に、窓台に設けられた凹部の左右両端部に補助桟が係合して取り付けられ、照明ユニットを下方より支持することを特徴としている。
【発明の効果】
【０００８】
本願の第１の発明によれば、窓台と窓台の上に載置される三方枠とから窓枠が形成され、窓枠の内面部に形成された周溝に周端縁部を係合させて透光性を有する面板が取り付けられる。そして、窓台における周溝部分の裏側に設けられた凹部内に、発光部を備えた照明ユニットが係合して納められ、照明ユニットの発光部が面板の下端面に対向して配置されて、照明付内装窓が形成される。このため、照明付内装窓の組み立ては容易であり、組み立てたままの状態で内装壁の駆体に組み込み、容易に設置することができる。しかも、照明ユニットはいわゆるエッジライトとして機能し、発光部を発光させると、光が面板内部を通過して面板が輝くため、イルミネーション効果があり、インテリアとしてアクセントを与えることができる。
【０００９】
本願の第２の発明によれば、窓台に設けられた凹部の左右両端部に補助桟が係合して取り付けられ、照明ユニットを下方より支持するため、照明ユニットの取り付けが安定したものとなる。
【発明を実施するための最良の形態】
【００１０】
図１（ａ）（ｂ）は、それぞれ、本願発明の照明付内装窓の一実施形態を示した正断面図、側断面図である。
【００１１】
窓枠１は、下端に配置される窓台２と、左右両側端および上端を取り囲む三方枠３とを備えている。窓台２は、長さが三方枠３の横幅よりも長く、三方枠３が窓台２の上に載置可能となっている。窓枠１は、窓台２の上に三方枠３を載置することにより形成される。窓台２は、図２（ａ）（ｂ）（ｃ）に示したように、やや奥行きのある平面視長方形の板体である。木質材から形成することができる。三方枠３は、たとえば図３に示したように、横長の長板４を用意し、その裏面部に略Ｖ字状に切り込みを入れ、Ｖ溝５を形成し、Ｖ溝５において左右両側部を内側に略９０°折り曲げることにより一体物として形成することができる。この他、三方枠３は、左右の側板、上板を別々に用意し、突き合わせる端部を略４５°にカットして突き合わせ、角部を外側よりタッカー留めして形成することもできる。三方枠３は、窓台２と同様に木質材から形成することができ、たとえば、ＭＤＦ（中密度ファイバーボード）の表面に化粧シートを貼着したものなどから形成することができる。
【００１２】
窓枠１の内面部、すなわち、窓台２および三方枠３の内面部には、図１に示したように、奥行き方向の片側寄りに、連続する周溝６が形成されている。周溝６には面板７が嵌め込み可能となっている。すなわち、面板７の周端縁部を周溝６に係合させることができ、この係合によって、面板７が窓枠１に取り付けられるようになっている。面板７の周端縁部を周溝６に係合させた状態において窓台２の上に三方枠３を載置し、窓台２の下端側から釘、ビスなどの固定具８を打入、ねじ込むなどにより、窓枠１が組み上がり、面板７が窓枠１に固定される。面板７は、光を透過可能な透光性を有する薄板であり、たとえばガラス板、アクリル板などを採用することができる。
【００１３】
また、窓台２には、図１（ａ）（ｂ）および図２（ａ）（ｂ）（ｃ）に示したように、周溝６部分の裏側に横長形状の凹部９が設けられている。凹部９内には、発光部１０を備え、凹部９の幅に略等しい幅を有し、横長形状の照明ユニット１１が係合して納められている。この状態において、照明ユニット１１の発光部１０は面板７の下端面に対向して配置されている。発光部１０には、たとえばＬＥＤが採用され、この場合、照明ユニット１１の長さ方向に複数個を等間隔で横に並べて照明ユニット１１に配設することができる。また、照明ユニット１１用の電源ユニット１２が照明ユニット１１と同じく凹部９内に納められている。凹部９は、さらに、照明ユニット１１および電源ユニット１２が納められた後の残りの部分を照明ユニット１１への電源供給線の余長部分を納める空間として利用することができる。
【００１４】
なお、三方枠３を窓台２に固定する際には、凹部９においては、凹部９内に釘、ネジなどの固定具８を挿入し、窓台２から三方枠３に向けて固定具８を打入、ねじ込みなどすることができる。
【００１５】
さらに、窓台２に設けられた凹部９の左右両端部には、照明ユニット１１に重合可能として照明ユニット１１の厚み分切り欠かれた補助桟１３が係合して取り付けられている。補助桟１３は、たとえば図４に示したように、上端角部に切欠部１４を有し、凹部９の幅に略等しい幅を有する小型の桟である。切欠部１４によって、図１（ａ）に示したように、照明ユニット１１に干渉することなく、凹部９に係合させて取り付けることができる。このような補助桟１３によって、照明ユニット１１は左右両端部において切欠部１４に重合し、下方より支持され、照明ユニット１１の取り付けが安定したものとなる。
【００１６】
このような照明付内装窓は、次のようにして組み立てられる。
【００１７】
まず、窓枠１を形成する窓台２および三方枠３の内面部に形成された周溝６に周端縁部を係合させて面板７を取り付け、三方枠３を窓台２の上に載置し、固定具８を用いて三方枠３を窓台２に固定する。次いで、窓台２に設けられた凹部９内に、電源ユニット１２を備えた照明ユニット１１を係合させて納めた後、補助桟１３を同じく凹部９に係合させて取り付け、照明ユニット１１を固定する。こうして、照明付内装窓が容易に組み立てられる。
【００１８】
照明付内装窓の内装壁への設置は、次の手順にしたがって行うことができる。
【００１９】
まず、図５に示したように、内装壁１５の窓取付部分に窓枠１の横幅に合わせて左右２本の間柱１６を立設するとともに、窓枠１の高さに合わせて上下２本の横桟１７を間柱１６間に横設する。次いで、天井１８または床１９から電源ユニット１２に電力を供給する電源供給線を引き込む。そして、間柱１６と横桟１７とによって囲まれた部分に、組み立てた照明付内装窓を嵌め込み、窓台２および三方枠３において横桟１７に釘、ネジなどの固定具を用いて固定する。引き込んだ電源供給線を電源ユニット１２に配線接続し、余長部分を凹部９内に納め、壁下地および壁紙を配設して内装壁１５の仕上げを行う。こうして、照明付内装窓が内装壁１５に設置される。
【００２０】
このように、照明付内装窓は、組み立て後、そのまま内装壁１５に設置することができ、したがって、手間取ることなく容易に設置することができる。
【００２１】
そして、照明付内装窓では、図１（ａ）（ｂ）に示したように、照明ユニット１１の発光部１０が透光性を有するガラス板、アクリル板などの面板７の下端面に対向して配置されているため、照明ユニット１１はいわゆるエッジライトとして機能し、発光部１０を発光させると、光が面板７の内部を通過して面板７が輝く。イルミネーション効果があり、インテリアとしてアクセントを与えることができる。
【００２２】
照明付内装窓が内装壁１５に設置されることにより、全面が壁である内装壁と比較して、面板７によって素通しとなり、内装壁１５の両側に位置する各室に開放感、空間としての連続感を与え、各室の閉鎖的なイメージを解消することができ、さらに、イルミネーション効果によってインテリアとしてアクセントが生じる。
【図面の簡単な説明】
【００２３】
【図１】（ａ）（ｂ）は、それぞれ、本願発明の照明付内装窓の一実施形態を示した正断面図、側断面図である。
【図２】（ａ）（ｂ）（ｃ）は、それぞれ、図１に示した照明付内装窓の窓台を示した平面図、正面図、側面図である。
【図３】図１に示した照明付内装窓の三方枠の作製について示した断面図である。
【図４】図１に示した照明付内装窓の補助桟を示した斜視図である。
【図５】照明付内装窓の設置について示した正面図である。
【符号の説明】
【００２４】
１    窓枠
２    窓台
３    三方枠
４    長板
５    Ｖ溝
６    周溝
７    面板
８    固定具
９    凹部
１０    発光部
１１    照明ユニット
１２    電源ユニット
１３    補助桟
１４    切欠部
１５    内装壁
１６    間柱
１７    横桟
１８    天井
１９    床
【図１】
2007315073.tif 000003
【図２】
2007315073.tif 000004
【図３】
2007315073.tif 000005
【図４】
2007315073.tif 000006
【図５】
2007315073.tif 000007